(57)【要約】【課題】  １つの記録装置で複数種類の記録媒体に対応する装置の色分解テーブルの作成において、複数の色分解テーブルを作成する場合、設計期間を短縮する。【解決手段】  １つの色分解テーブルを作成した後、他の色分解テーブルに使用しない特色や淡インクのインク値を、シアン、マゼンタ、イエローのインク値に置き換える処理を行う。その際、置き換えられる色と置き換える色のグラデーション画像を測色して、インク値の対応を決定する。そして、対応するインク値を決定して、インク値を置き換える。このように、既に作成された色分解テーブルを利用して新たな色分解テーブルを作成するため、設計時間と労力を削減する色分解テーブルの作成方法を実現することができる。【選択図】  図８
2007088635.tif 000002
【特許請求の範囲】
【請求項１】
画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理装置において、
前記２以上の色分解テーブルのうち第１の色分解テーブルを構成する格子点について格子点データを求める第１テーブルデータ作成手段と、
前記色分解テーブルのうち第２の色分解テーブルを構成する格子点について格子点データを求めるテーブルデータ作成手段であって、前記第１の色分解テーブルのテーブルデータ作成手段が求めた格子点データのうち前記第１の色分解テーブルに使用した色であって前記第２の色分解テーブルに使用しない色の階調と、前記第２の色分解テーブルに使用する色の階調とを測色し、前記第１の色分解テーブルに使用した色であって第２の色分解テーブルに使用しない色の格子点データを、前記第１の色分解テーブルに使用した色の測色値が前記第２の色分解テーブルに使用する色の測色値と最も近い測色値の格子点データを少なくとも用いて求めた格子点データに置き換えて前記第２の色分解テーブルの格子点データとする第２テーブルデータ作成手段と、
を具えたことを特徴とする画像処理装置。
【請求項２】
前記他の色分解テーブルのテーブルデータ作成手段は、前記第１の色分解テーブルから前記第２の色分解テーブルに置き換える格子点データの色が、レッドからマゼンタとイエロー、グリーンからシアンとイエロー、ブルーからシアンとマゼンタ、淡シアンからシアン、淡マゼンタからマゼンタ、のいずれかであることを特徴とする画像処理装置。
【請求項３】
画像信号を印刷装置で用いる色材の信号に変換する処理に用いられる色分解テーブルであって、前記画像信号によって規定される格子点に対応させて前記色材信号として格子点データを格納した２以上の色分解テーブルを作成するための画像処理方法において、
前記２以上の色分解テーブルのうち第１の色分解テーブルを構成する格子点について格子点データを求める第１テーブルデータ作成工程と、
前記色分解テーブルのうち第２の色分解テーブルを構成する格子点について格子点データを求めるテーブルデータ作成工程であって、前記第１の色分解テーブルのテーブルデータ作成工程が求めた格子点データのうち前記第１の色分解テーブルに使用した色であって前記第２の色分解テーブルに使用しない色の階調と、前記第２の色分解テーブルに使用する色の階調とを測色し、前記第１の色分解テーブルに使用した色であって第２の色分解テーブルに使用しない色の格子点データを、前記第１の色分解テーブルに使用した色の測色値が前記第２の色分解テーブルに使用する色の測色値と最も近い測色値の格子点データを少なくとも用いて求めた格子点データに置き換えて前記第２の色分解テーブルの格子点データとする第２テーブルデータ作成工程と、
を具えたことを特徴とする画像処理方法。
【請求項４】
前記他の色分解テーブルのテーブルデータ作成工程は、前記１の色分解テーブルから他の色分解テーブルに置き換える格子点データの色が、レッドからマゼンタとイエロー、グリーンからシアンとイエロー、ブルーからシアンとマゼンタ、淡シアンからシアン、淡マゼンタからマゼンタ、のいずれかであることを特徴とする画像処理方法。
【請求項５】
コンピュータに、画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理を実行させるプログラムであって、
前記２以上の色分解テーブルのうち第１の色分解テーブルを構成する格子点について格子点データを求める第１テーブルデータ作成工程と、
前記色分解テーブルのうち第２の色分解テーブルを構成する格子点について格子点データを求めるテーブルデータ作成工程であって、前記第１の色分解テーブルのテーブルデータ作成工程が求めた格子点データのうち前記第１の色分解テーブルに使用した色であって前記第２の色分解テーブルに使用しない色の階調と、前記第２の色分解テーブルに使用する色の階調とを測色し、前記第１の色分解テーブルに使用した色であって第２の色分解テーブルに使用しない色の格子点データを、前記第１の色分解テーブルに使用した色の測色値が前記第２の色分解テーブルに使用する色の測色値と最も近い測色値の格子点データを少なくとも用いて求めた格子点データに置き換えて前記第２の色分解テーブルの格子点データとする第２テーブルデータ作成工程と、
を具えたことを特徴とするプログラム。
【請求項６】
コンピュータによって読取り可能にプログラムを記憶した記憶媒体であって、
前記プログラムは、コンピュータに、画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理を実行させるプログラムであって、
前記２以上の色分解テーブルのうち第１の色分解テーブルを構成する格子点について格子点データを求める第１テーブルデータ作成工程と、
前記色分解テーブルのうち第２の色分解テーブルを構成する格子点について格子点データを求めるテーブルデータ作成工程であって、前記第１の色分解テーブルのテーブルデータ作成工程が求めた格子点データのうち前記第１の色分解テーブルに使用した色であって前記第２の色分解テーブルに使用しない色の階調と、前記第２の色分解テーブルに使用する色の階調とを測色し、前記第１の色分解テーブルに使用した色であって第２の色分解テーブルに使用しない色の格子点データを、前記第１の色分解テーブルに使用した色の測色値が前記第２の色分解テーブルに使用する色の測色値と最も近い測色値の格子点データを少なくとも用いて求めた格子点データに置き換えて前記第２の色分解テーブルの格子点データとする第２テーブルデータ作成工程と、
を具えたプログラムを記憶した記憶媒体。
【発明の詳細な説明】
【技術分野】
【０００１】
本発明は、画像処理装置および画像処理方法に関し、特に、画像信号をインクやトナーなどの色材量の信号に変換する際に用いられる色分解テーブルの作成に関するものである。
【背景技術】
【０００２】
図１５は、この色分解テーブル作成処理の一例を示すフローチャートである。まず、パッチの測色値に基づき、格子点データを求める（Ｓ１５−１）。次に、色分解テーブルの８つの頂点を結ぶラインＷ（ホワイト）−Ｃ（シアン），Ｍ（マゼンタ），Ｙ（イエロー），Ｒ（レッド），Ｇ（グリーン），Ｂ（ブルー）の６つのライン，Ｃ，Ｍ，Ｙ，Ｒ，Ｇ，Ｂ−Ｋ（ブラック）の６つのライン、Ｍ−Ｒ，Ｒ−Ｙ，Ｙ−Ｇ，Ｇ−Ｃ，Ｍ−Ｂ，Ｂ−ＣおよびＷ−Ｋの各ラインについて、そのライン上にある格子点の格子点データを求める（Ｓ１５−２）。次に、これらの格子点以外の格子点の格子点データを補間演算によって求める（Ｓ１５−３）。補間処理の後、補間領域の境界において格子点データが不連続となるなどの弊害を低減するために、格子点データについて平滑化処理を行う（Ｓ１５−４）。そして、平滑化処理の後のテーブルについて、テーブル全体の格子点データを印刷媒体の最大打込量と比べ、打込量をオーバーしている格子点データを有した格子点があるかどうかをチェックし補正する打込量補正処理を行う（Ｓ１５−５）（特願２００４−２３８３１９号）。
【発明の開示】
【発明が解決しようとする課題】
【０００３】
ところで、記録画質の向上などを目的として、記録に用いる記録媒体の種類を使い分けることが行われている。また、この記録に用いる記録媒体の選択とともに、インクなどの色材の組合せを使い分けることが行われている。例えば、写真調の画像を記録する際に用いる記録媒体には普通紙よりも多数色のインクの組合せを使用し、より高画質の記録を行うようにしている。このように複数種類の記録媒体を選択的に用い、また、記録媒体に応じて記録するインク色の組合せが異なる場合、色分解テーブルの内容をそれに応じたものとすることが好ましい。また、色分解テーブルは、その内容によって記録媒体に対するインクの打込量を制御できることから、ブリーディングを防止することもできる。しかしながら、記録に用いる記録媒体の種類のそれぞれに対応させて色分解テーブルを作成すると、そのための設計負担が増加するという問題を生じる。この負担は記録媒体の種類が増す程、過大となる。
【０００４】
一方、複数の記録媒体に対応した個々の色分解テーブルを設計する場合であっても、１つの記録媒体に対応した色分解テーブルの設計期間と同期間で設計を行わなければならないことが多い。したがって、それぞれの記録媒体に対応する色分解テーブルを作成する期間を割くことは困難である。
【０００５】
本発明は、このような観点からなされたものであり、１つの記録媒体の色分解テーブルを作成した後、その色分解テーブルを用いて他の色分解テーブルを作成することができる画像処理装置および画像処理方法を提供することを目的とする。
【課題を解決するための手段】
【０００６】
そのために本発明では、画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理装置において、前記２以上の色分解テーブルのうち第１の色分解テーブルを構成する格子点について格子点データを求める第１テーブルデータ作成手段と、前記色分解テーブルのうち第２の色分解テーブルを構成する格子点について格子点データを求めるテーブルデータ作成手段であって、前記第１の色分解テーブルのテーブルデータ作成手段が求めた格子点データのうち前記第１の色分解テーブルに使用した色であって前記第２の色分解テーブルに使用しない色の階調と、前記第２の色分解テーブルに使用する色の階調とを測色し、前記第１の色分解テーブルに使用した色であって第２の色分解テーブルに使用しない色の格子点データを、前記第１の色分解テーブルに使用した色の測色値が前記第２の色分解テーブルに使用する色の測色値と最も近い測色値の格子点データを少なくとも用いて求めた格子点データに置き換えて前記第２の色分解テーブルの格子点データとする第２テーブルデータ作成手段と、を具えたことを特徴とする。
【発明の効果】
【０００７】
以上の構成によれば、１つの色分解テーブルを作成し、他の色分解テーブルで使用しない色のインク値を、その色の測色値と近い測色値のインク値に置き換えることで色分解テーブルを作成することができる。
【０００８】
この結果、インク色数が異なる複数の色分解テーブルの作成を効率良く行うことができる。
【発明を実施するための最良の形態】
【０００９】
以下に図面を参照して本発明における実施形態を詳細に説明する。  
（実施形態１）
図１は、本発明の一実施形態にかかる画像処理装置の構成を示すブロック図である。本実施形態の画像処理装置は、図２にて後述されるように、プリンタにおけるソフトウエアまたはハードウエアの処理として構成されるものである。なお、本発明の適用はこのような形態に限られないことはもちろんであり、例えば、パーソナルコンピュータにおいて動作するプリンタドライバなどのソフトウエアによる処理であってもよい。
【００１０】
図１は、Ｒ、Ｇ、Ｂ各８ビットの画像データを本実施形態のプリンタで用いる色材のインクＣ、Ｍ、Ｙ、Ｋ各８ビットの色分解データに変換し、さらにそれを量子化されたＣ、Ｍ、Ｙ、Ｋ等各２ビットのデータとする処理を示している。同図において、カラーマッチング処理部１０１は、入力画像データＲＧＢの色再現域とプリンタの色再現域とを合わせるための色変換を行う。そして、色分解処理部１０２は、カラーマッチング処理部１０１からのＲ’Ｇ’Ｂ’データに基づいて色分解テーブルを参照し格子点データを得る。加えて、色分解処理部１０２は、その格子点データを用いた補間演算を行うことにより、上記Ｒ’Ｇ’Ｂ’データをプリンタで用いる各色インクのデータＣ、Ｍ、Ｙ、Ｋ等に変換する。さらに、ハーフトーン処理部１０３は、インク分解処理部１０２で求めた各色インクの８ビットデータをプリンタで用いるため２値のデータＣ’、Ｍ’、Ｙ’、Ｋ’等に変換する。また、インク色分解テーブル部１０５は、インク色分解処理部１０２による色変換処理で用いる色分解テーブル（ルックアップテーブル形態）を提供する。色分解テーブル作成部１０４は、図３以降で後述されるように、上記のインク色分解テーブルを作成する。
【００１１】
図２は、本発明の一実施形態にかかる印刷システムの構成を示すブロック図であり、図１に示した画像処理装置を構成するプリンタを含んだシステムを示している。
【００１２】
図２において、コンピュータ２０１とモニタ２０２はプリンタ２０３のホスト装置を構成する。すなわち、コンピュータ２０１は、モニタ２０２に表示される画像などをプリンタ２０３によって印刷すべく、印刷のための画像データを保持し、印刷に際してこれをプリンタ２０３に供給する。プリンタ２０３は、図１に示した画像処理の構成を備え画像処理装置とし機能する。具体的には、プリンタ２０３の制御部を構成する、ＣＰＵ，ＲＡＭ、ＲＯＭによって図１に示す各処理部が構成され、図５および図８にて後述する処理を実行する。また、プリンタ２０３は、本実施形態ではインクジェット方式の印刷機構を備える。すなわち、Ｙ（イエロー）、Ｍ（マゼンタ）、Ｃ（シアン）、Ｋ（ブラック）の基本色インク、特色インクおよび淡色インクのそれぞれの記録ヘッドを記録媒体に走査させこの走査の間に記録媒体にそれぞれのインクを吐出する。加えて、記録媒体を所定量ずつ搬送することにより印刷を実行する。なお、印刷方式は上述のインクジェット方式に限られないことはもちろんである。例えば、トナーを色材として用いた電子写真方式などを用いることもできる。
【００１３】
以上の印刷システムにおいて、コンピュータ２０１に保持されている画像データは、プリンタ２０３との間のケーブルを介してプリンタ２０３に送られる。なお、図示されていないネットワークに接続する他のホスト装置からプリンタ２０３に対して画像データが供給されてもよい。プリンタ２０３は、画像データが送られて来ると、先ず、図１に示したカラーマッチング処理部１０１で、モニタ２０２の色再現域とプリンタ２０３による色再現域とを合わせるカラーマッチング処理を行う。具体的には、ルックアップテーブルに補間演算を併用した色変換を行う。カラーマッチング処理されたＲ’Ｇ’Ｂ’データは、色分解処理部１０２で、予め作成されたルックアップテーブルを用いる色分解テーブル部１０５のテーブルデータを用いた補間演算によって色分解される。具体的には、データＲ’、Ｇ’、Ｂ’によって色分解テーブル部１０５を参照してＣ、Ｍ、Ｙ、Ｋ等の色分解データを読み出す。加えて、この読み出した値に対して上記データＲ’、Ｇ’、Ｂ’の値に基づいて補間演算を施し、最終的に色分解されたＣ、Ｍ、Ｙ、Ｋ等の色分解データを得る。そして、これらの８ビットデータはハーフトーン処理部１０３にて、プリンタで用いるＣ’、Ｍ’、Ｙ’、Ｋ’等の２値データに変換され、印刷に用いられる。なお、ハーフトーン処理部１０３で行われる量子化は２値化に限られず、用いるドットパターンや印刷機構の形態などに応じて４値、５値などの値を用いることができることはもちろんである。
【００１４】
インク色分解テーブル部１０５に格納されているテーブルデータは、色分解テーブル作成部１０４によって予め作成されるが、本発明の一実施形態にかかるその生成処理について図３〜図１４を参照して説明する。
【００１５】
図３は、色分解テーブル部１０５の色分解テーブルを模式的に示す図である。すなわち、色分解テーブル部１０５は、入力データＲ’、Ｇ’、Ｂ’によって規定される上記の立方体における所定の位置（色）を格子点で表す。さらに、この格子点に対応して色分解データ（格子点データ）Ｙ、Ｍ、Ｃ、Ｋの他、特色や淡色の各値をテーブルデータとして格納したものである。そして、色分解部１０２では、入力されたＲ’Ｇ’Ｂ’データによって、所定の格子点を特定しその格子点およびその周囲の所定の格子点の格子点データを読み出し、それらの格子点データを用いて補間処理を行う。なお、補間方法としては、四面体補間や立方体補間など、知られているどのような補間方法をも用いることができる。
【００１６】
図４は、色分解テーブルの作成方法を説明する図である。
【００１７】
本実施形態では、先ず、図４に示すように、立方体の８つの頂点を結ぶラインＷ−Ｃ，Ｍ，Ｙ，Ｒ，Ｇ，Ｂの６つのライン，Ｃ，Ｍ，Ｙ，Ｒ，Ｇ，Ｂ−Ｋの６つのライン、Ｍ−Ｒ，Ｒ−Ｙ，Ｙ−Ｇ，Ｇ−Ｃ，Ｍ−Ｂ，Ｂ−ＣおよびＷ−Ｋの各ラインについて、そのライン上にある格子点の格子点データを求める。次に、これらの格子点以外の格子点の格子点データを補間演算によって求める。
【００１８】
以下、２種類の記録媒体を用いて、本実施形態を説明する。本実施形態では、１種類目の記録媒体をメディア１とし、メディア１での色分解の色数は８であり、Ｃ、Ｍ、Ｙ、Ｋ、Ｌｃ（ライトシアン）、Ｌｍ（ライトマゼンタ）、Ｒ、Ｇを用いる。また、２種類目の記録媒体をメディア２とし、色分解の色数は４であり、Ｃ、Ｍ、Ｙ、Ｌを用いる。
【００１９】
図５は、メディア１の色分解テーブルの作成処理を示すフローチャートである。
【００２０】
まず、ステップＳ５−１で、ラインＷ−Ｋ、Ｍ−Ｒ、Ｒ−Ｙ、Ｙ−Ｇ、Ｇ−Ｃ、Ｃ−Ｂ，Ｂ−Ｍの各ラインおよびＷ−Ｃ，Ｍ，Ｙ，Ｒ，Ｇ，Ｂ−Ｋの各ラインそれぞれにおける格子点の格子点データを求める。そして、これら格子点に関する色分解テーブルを作成する。
【００２１】
本実施形態では、Ｃ、Ｍ、Ｙ、Ｋ、特色Ｒ、特色Ｇ、淡色Ｌｃおよび淡色Ｌｍについてそれぞれ８ビットで表される０〜２５５の値を１６等分した値の組合せについて、予め、プリンタによってパッチを印刷出力し、それらを測色し、それぞれの測色値を保持する。一方、上記頂点に当たる格子点の格子点データ（色分解データ）を、例えば、頂点Ｙでは（Ｃ、Ｍ、Ｙ、Ｋ、Ｒ、Ｇ、Ｌｃ、Ｌｍ）＝（０、０、２５５、０、０、０、０、０）のように予め定める。そして、各頂点を結ぶライン上の格子点の格子点データ（色分解データ）は、均等に分布した格子点の測色値とそれぞれ最も近い測色値のパッチを出力したデータ（Ｙ、Ｍ、Ｃ、Ｋ、Ｒ、Ｇ、Ｌｃ、Ｌｍ）をそれぞれの格子点の格子点データとして求める。なお、以上の基本的なテーブル作成において、色相ごとに最適なＵＣＲ量やＢＧ量を設定するようパッチを選択することにより、プリンタの色再現範囲を最大にしつつ、墨による粒状度の影響をできるだけ抑制したテーブルを設定することができる。また、用いる特色に応じて、本ステップで設定するラインのうちいくつかを特色に対応する格子点を設定しそれを通るものとしてもよいことはもちろんである。
【００２２】
次に、ステップＳ５−２では、ステップＳ５−１で求めた各ライン上の格子点の格子点データに基づいて内部補間処理を行い、上記ライン以外の格子点について格子点データを求める。
【００２３】
内部補間処理は公知のものを用いることができる。その概略は次のとおりである。先ず、各格子点に対応するインク量を決定するための、シアン、マゼンタ、イエロー、ブラック、レッド、グリーン、ライトシアン、ライトマゼンタのインク色を順次選択する。次に、補間を行う四面体を選択し、さらに複数の三角形に分割する処理を行う。分割したそれぞれの対象三角形に対して２次元の補間処理を行う。そして、補間処理結果のインク等高線と各格子点の距離を算出し、対象格子点のインク量を決定する。
【００２４】
ステップＳ５−２の内部補間処理の後、ステップＳ５−３で打ち込み量補正処理を行う。この処理は、補正率ｋを用いて補正を行うが、以下に示すステップＳ５−５の打ち込み量オーバーチェックの結果に応じて、補正率ｋを変更する。すなわち、色分解テーブルについて、打込量がオーバーすると判断される格子点データを有する格子点があるとき、テーブルの総ての格子点データの値に補正率ｋをかけて格子点データの補正を行う。ここで、打込量補正率ｋ（ｎ）は、ステップＳ５−３とＳ５−４の各ステップで構成されるループの回数ｎによって変化する。また、打込量補正率ｋは、ｋ（ｎ）＝αｋ（ｎ−１）に設定される。すなわち、ステップＳ５−５の判断で、ステップＳ５−３の処理に戻ると、補正率ｋはその都度α倍される。初期値ｋ（０）を用いると、ｋ（ｎ）＝αnｋ（０）と表すことができる。
【００２５】
次に、色分解テーブル全体の格子点データに対して打込量補正率ｋ（ｎ）をかけて補正を行う。このように打込み量補正をテーブル全体に対して一体に行うことにより、平滑化処理に対する影響を少なくすることが可能となる。なお、このように全体的な補正でなくても、平滑化処理に対応させて、打込み量補正を３×３×３といった局所的に行ってもよく、打ち込み量補正が平滑化に与える影響を少なくすることが可能である。
【００２６】
これにより、色分解テーブルで、打込量がオーバーする格子点は少しずつ補正され、最終的に、打込量オーバーしないような色分解テーブルとなる。
【００２７】
図６は、図５に示すステップＳ５−２の内部補間処理の後、ステップＳ５−３で打ち込み量補正処理前の色分解結果を示す。
【００２８】
図７は、図５に示す打ち込み量補正処理後の色分解結果を示す。
【００２９】
図６および図７では、横軸は各グリッド点を示し、縦軸は信号値を示す。また、縦軸では信号値とは別に最大打込量（Ｍａｘ打込量）を示し、本実施形態では、２００である。
【００３０】
図６および図７により、打ち込み量補正前では総打込量がＭａｘ打込量をオーバーしているが、打ち込み量補正後には、総打込量がＭａｘ打込量を超えないことがわかる。
【００３１】
図８は、メディア２の色分解テーブルの作成処理を示すフローチャートである。
【００３２】
まず、Ｓ８−１では、色分解テーブル作成部１０４にメディア１の色分解テーブルを代入する。次に、Ｓ８−２で、色分解テーブル作成部１０４にメディア２の色分解の数とインクの種類を代入する。本実施形態では、色分解の数は４であり、インクの種類はＣ、Ｍ、Ｙ、Ｋである。Ｓ８−３では、メディア１の淡インクを濃インクに置き換えるか否かを判断する。置き換える場合にはＳ８−４に、置き換えない場合には、Ｓ８−４およびＳ８−５を経ずにＳ８−６に進む。
【００３３】
本実施形態では、メディア１にはＬｃ、Ｌｍの淡インクが存在し、メディア２にはこれらのインクが存在しないため、淡インクを濃インクに置き換える。したがって、Ｓ８−４に進む。Ｓ８−４では、Ｌｃ、Ｌｍと、これらに対応するＣ、Ｍのグラデーション画像をそれぞれ測色する。そして、測色結果に基づきＬｃインクのインク値０から２５５のそれぞれについて、Ｃインクのインク値を決定する。インク値は、例えば、Ｌｃの測色値に一番近いＣの測色値のインク値を取る方法により決定する。
【００３４】
図９は、ＬｃのグラデーションとＣのグラデーションとの対応関係を示す図である。例えば、Ｌｃのインク値が２５５程度のものが、Ｃのインク値が６４程度に置き換えられることとなる。
【００３５】
インク値の決定は、上述した方法に限られず、例えば、ＬｃとＣのグラデーション画像を測色した結果に基づき、グラデーションＬｃの測色値の前後のＣの測色値のインク値の平均を取る等の方法がある。
【００３６】
同様に、Ｌｍのインク値に対応するＭのインク値を決定する。結果に基づいて、Ｌｃインクのインク値をＣインク値に、Ｌｍインクのインク値をＭインクのインク値に置き換えて（Ｓ８−５）、Ｓ８−６に進む。
【００３７】
図１０は、ＬｍのグラデーションとＭのグラデーションとの対応関係を示す図である。
【００３８】
次に、メディア１のインクの種類に、Ｒ、Ｇ、Ｂ等の特色インクをＹ、Ｍ、Ｃインクに置き換えるか否かを判断する。置き換える場合にはＳ８−７に、置き換えない場合には、Ｓ８−７からＳ８−９を経ずにＳ８−１０に進む。
【００３９】
本実施形態では、メディア１にはＧ、Ｂの特色インクが存在し、メディア２にはこれらのインクが存在しないため、特色インクをＣ、Ｍ、Ｙインクに置き換える。したがって、Ｓ８−７に進む。Ｓ８−７では、ＣとＭ、ＣとＹ、ＹとＭのそれぞれのクロスパッチデータを測色する。また、Ｓ８−８では、Ｒ、Ｇのグラデーション画像を測色する。そして、測色結果に基づきＲインクのインク値０から２５５のそれぞれについて、ＣインクとＭインクのインク値を決定する。インク値は、例えばＲの測色値に一番近いクロスパッチデータの測色値のＣ、Ｍそれぞれのインク値を取る方法により決定する。
【００４０】
図１１は、ＲインクのグラデーションとＭ、Ｙインクのクロスパッチデータとの対応関係を示す図である。例えば、Ｒのインク値が２００程度のものが、（Ｍ、Ｙ）＝（１２０、１２５）のインク値に、Ｒのインク値が２５５程度のものが、（Ｍ、Ｙ）＝（１２８、１２８）のインク値に置き換えられることとなる。
【００４１】
インク値の決定は、上述した方法に限られず、例えば、Ｃ、ＭのクロスパッチデータとＲのグラデーション画像を測色した結果に基づき、Ｒの測色値の前後のクロスパッチデータの測色値のＣ、Ｍそれぞれのインク値について平均を取る等の方法がある。
【００４２】
これにより、Ｒのインク値に対応するＭとＹのインク値を決定する。また、同様にＧのインク値に対応するＣとＹのインク値を決定する。結果に基づいて、Ｒインクのインク値をＭとＹインクのインク値に、Ｇインクのインク値をＣインクとＹインクのインク値に置き換える（Ｓ８−９）。
【００４３】
図１２は、ＧインクのグラデーションとＣ、Ｙインクのクロスパッチデータとの対応関係を示す図である。
【００４４】
以上の工程により、メディア１の色分解で使用する淡インクおよび特色インクのインク値の全てを、メディア２の色分解で使用するＣ、Ｍ、Ｙインクのインク値に置き換えた後（Ｓ８−１０）、メディア２の打ち込み補正を行う（Ｓ８−１１）。この打ち込み補正は、上述Ｓ５−３で説明した方法で行う。
【００４５】
図１３は、ＲインクをＭインクとＹインクに置き換え、ＧインクをＣインクとＹインクに置き換えた、打込量補正前の色分解結果を示す。
【００４６】
図１４は、さらにＬｃインクをＣインクに置き換え、ＬｍインクをＭインクに置き換えた後、打込量補正を行った色分解結果を示す。すなわち、メディア２の色分解結果である。メディア２のＭａｘ打込量は約２７０である。
【００４７】
以上の処理を実施することで、メディア１の色分解テーブルに基づいて、メディア２の色分解テーブルを作成することができる。
【００４８】
なお、本実施形態では、１つの記録装置が２種類の記録媒体に対応する場合について説明したが、対応する記録媒体が３種類以上であってもよく、かかる場合は、図８で説明した色分解テーブルの作成処理を色分解テーブルの数だけ行う。
【００４９】
（その他）
本発明は上記実施形態を実現する為の装置及び方法のみに限定されるものではなく、上記システム又は装置内のコンピュータ（ＣＰＵあるいはＭＰＵ）に、上記実施形態を実現する為のソフトウエアのプログラムを供給し、このプログラムに従って上記システムあるいは装置のコンピュータが上記各種デバイスを動作させることにより上記実施形態を実現してもよい。
【００５０】
また、この様なプログラムを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００５１】
上記コンピュータが、供給されたプログラムのみに従って各種デバイスを制御することにより、上記実施の形態の機能が実現される場合だけではなく、上記プログラムがコンピュータ上で稼働しているＯＳ(オペレーティングシステム)、あるいは他のアプリケーションソフト等と共同して上記実施の形態が実現されてもよい。
【００５２】
更に、この供給されたプログラムが、コンピュータの機能拡張ボードやコンピュータに接続された機能拡張ユニットに備わるメモリに格納された後、そのプログラムの指示に基づいてその機能拡張ボードや機能格納ユニットに備わるＣＰＵ等が実際の処理の一部又は全部を行い、その処理によって上記実施の形態が実現されてもよい。
【図面の簡単な説明】
【００５３】
【図１】本発明の一実施形態にかかる画像処理装置の構成を示すブロック図である。
【図２】本発明の一実施形態にかかる印刷システムの構成を示すブロック図である。
【図３】色分解テーブル部１０５の色分解テーブルを模式的に示す図である。
【図４】色分解テーブルの作成方法を説明する図である。
【図５】メディア１の色分解テーブルの作成処理を示すフローチャートである。
【図６】内部補間処理の後、打込量補正処理前のメディア１の色分解結果を示す図である。
【図７】打込量補正処理後のメディア１の色分解結果を示す図である。
【図８】メディア２の色分解テーブルの作成処理を示すフローチャートである。
【図９】淡シアンのインク値と濃シアンのインク値の対応を示した図である。
【図１０】淡マゼンタのインク値と濃マゼンタのインク値の対応を示した図である。
【図１１】レッドのインク値とマゼンタおよびイエローのインク値の対応を示した図である。
【図１２】グリーンのインク値とシアンおよびイエローのインク値の対応を示した図である。
【図１３】メディア２の打込量補正前の色分解結果を示す図である。
【図１４】メディア２の色分解結果を示す図である。
【図１５】従来技術のテーブル作成処理を示すフローチャートである。
【符号の説明】
【００５４】
１０１    カラーマッチング処理部
１０２    色分解処理部
１０３    ハーフトーン処理部
１０４    色分解テーブル作成部
１０５    色分解テーブル部
２０１    コンピュータ
２０２    モニタ
２０３    プリンタ
【図１】
2007088635.tif 000003
【図２】
2007088635.tif 000004
【図３】
2007088635.tif 000005
【図４】
2007088635.tif 000006
【図５】
2007088635.tif 000007
【図６】
2007088635.tif 000008
【図７】
2007088635.tif 000009
【図８】
2007088635.tif 000010
【図９】
2007088635.tif 000011
【図１０】
2007088635.tif 000012
【図１１】
2007088635.tif 000013
【図１２】
2007088635.tif 000014
【図１３】
2007088635.tif 000015
【図１４】
2007088635.tif 000016
【図１５】
2007088635.tif 000017